【手続補正書】
【提出日】平成18年12月25日(2006.12.25)
【手続補正１】
【補正対象書類名】特許請求の範囲
【補正対象項目名】請求項５
【補正方法】変更
【補正の内容】
【請求項５】
前記筒状体の原水流入口と、前記通水管の原水流入口との間に、原水導入時に前記原水流入口を原水の圧力によって開き、非導入時に塞ぐ逆止弁が設けられたことを特徴とする請求項４記載の浄水カートリッジ。
【手続補正２】
【補正対象書類名】特許請求の範囲
【補正対象項目名】請求項１０
【補正方法】変更
【補正の内容】
【請求項１０】
前記浄水カートリッジの浄水吐出口には、片手で着脱自在で且つ回動自在な継手が接続されていることを特徴とする請求項７記載の浄水器。
【手続補正３】
【補正対象書類名】明細書
【補正対象項目名】０００５
【補正方法】変更
【補正の内容】
【０００５】
そのため、この種の浄水器では、使用頻度に応じて或は定期的に濾過材の交換が必須となっている。そこで、未経験者でも濾過材を簡単に交換できるように、濾過材を小型容器に収納して交換を容易にした、いわゆるカートリッジ式浄水器が開発され広く普及してきている（例えば、下記特許文献１、２参照）。
【手続補正４】
【補正対象書類名】明細書
【補正対象項目名】００２０
【補正方法】変更
【補正の内容】
【００２０】
本願の請求項５に係る発明は、請求項４に記載の浄水カートリッジにおいて、前記筒状体の原水流入口と、前記通水管の原水流入口との間に、原水導入時に前記原水流入口を原水の圧力によって開き、非導入時に塞ぐ逆止弁が設けられたことを特徴とする。
【手続補正５】
【補正対象書類名】明細書
【補正対象項目名】００２１
【補正方法】変更
【補正の内容】
【００２１】
本願の請求項６に係る発明は、請求項１に記載の浄水カートリッジにおいて、前記濾過材は、少なくとも一部が粒状の活性炭で構成されていることを特徴とする。
【手続補正６】
【補正対象書類名】明細書
【補正対象項目名】００２５
【補正方法】変更
【補正の内容】
【００２５】
本願の請求項１０に係る発明は、請求項７に記載の浄水器において、前記浄水カートリッジの浄水吐出口には、片手で着脱自在で且つ回動自在な継手が接続されていることを特徴とする。
【手続補正７】
【補正対象書類名】明細書
【補正対象項目名】００３４
【補正方法】変更
【補正の内容】
【００３４】
請求項７に記載の浄水器の発明によれば、請求項１〜６に記載された浄水カートリッジは何れも小型になっており、この小型の浄水カートリッジを浄水器本体に組み込むことにより、浄水器も小型化できる。
【手続補正８】
【補正対象書類名】明細書
【補正対象項目名】００４４
【補正方法】変更
【補正の内容】
【００４４】
図２は、図１の浄水器を構成する１部品の本体カバーを示し、同図（ａ）は上面図、同図（ｂ）は図（ａ）のＡ−Ａ断面図である。
本体カバー２８は、上部に開口部２８１を有するカップ状をなし、カートリッジ４０を収容できる大きさを有し、底部３０に開孔２８２が形成されている。
上部の開口部２８１には、内周壁面に複数個の凸状部２９１〜２９４が形成されている。これらの凸状部２９１〜２９４は、後述するカートリッジ４０の凹状溝４１ｂ１と係合し、カートリッジ４０を保持するものである。
また、底部３０の開孔２８２には、背低の筒状体３１が結合される。筒状体３１は、内部に貫通孔３１１を有し、外周壁面に雄ネジ３１２が刻設され、浄水器本体２０の凹状窪み２５１１に螺合される。
【手続補正９】
【補正対象書類名】明細書
【補正対象項目名】００４７
【補正方法】変更
【補正の内容】
【００４７】
一方の筒状体４３２は、本体カバー２８の筒状体３１が嵌入される大きさの凹状窪み４３２１が形成されている。この凹状窪み４３２１には、後述する通水管５０の一端部が嵌入され通水管５０の端部が支持される。また、凹状窪み４３２１の底部には、その中央部に貫通孔４４の開口４４２が位置している。この開口４４２は、浄水器１０の組立て時に、逆止ボール４２で塞がれる。
また、他方の筒状体４３１は、本体カバー２８の筒状体３１の貫通孔３１１に嵌合される長さを有し、外周壁面にＯリングが装着される凹状溝４３１１が形成されている。組立て時には、この凹状溝４３１１にＯリング（図示省略）が装着され、嵌合部から液が漏れないようになっている。
更にまた、筒状体４３２から少し離れた内周壁面に段部４１３が形成され、この段部４１３で濾過材受け皿７１が固定される。
【手続補正１０】
【補正対象書類名】明細書
【補正対象項目名】００４９
【補正方法】変更
【補正の内容】
【００４９】
図４は、通水管を示し、同図（ａ）は底面図、同図（ｂ）は図（ａ）のＡ−Ａの断面図、同図（ｃ）は図（ｂ）のＢ−Ｂの断面図である。
通水管５０は、中心部に第１の通水管５１と、この第１の通水管５１の外周囲に所定間隔空けて設けられた第２の通水管５２とを有し、第１、第２の通水管５１、５２が同心状に配設された２重構造の管体からなり、一端部５３には原水及び浄水流入口５４、５５が、他端部５７には原水及び浄水吐出口５４２、５５２がそれぞれ形成されている。第１、第２の通水管５１、５２が同心状に配設されたことにより、同心円状に通水路５４１、５５１が形成されることになる。 
【手続補正１１】
【補正対象書類名】明細書
【補正対象項目名】００５１
【補正方法】変更
【補正の内容】
【００５１】
また、筒状体５６の凹状窪み５８内には、原水流入口５４が形成され、この原水流入口５４は、第２の通水管５２の通水路５４１に連通している。
また、一端部５３の側壁には、第１の通水管５１の通水路５５１と連通する浄水流入口５５が形成されている。この浄水流入口５５は、第２の通水管５２の通水路５４１と連通しないように隔壁５１１によって仕切られている。
【手続補正１２】
【補正対象書類名】明細書
【補正対象項目名】００５２
【補正方法】変更
【補正の内容】
【００５２】
通水管５０の他端部５７は、第１の通水管５１の端部が第２の通水管５２の端部より、外方へ突出し、それぞれの端部に原水及び浄水吐出口５４２、５５２が形成されている。第１の通水管５１の端部は、カートリッジカバー４５の開口４７１１に挿入できるように先細になっている。原水及び浄水吐出部５４２、５５２は、同心状に配列された第１、第２の通水管５１、５２によって形成される通水路５４１、５５１の端部よって構成されている。
【手続補正１３】
【補正対象書類名】明細書
【補正対象項目名】００５３
【補正方法】変更
【補正の内容】
【００５３】
この通水管５０は、カートリッジ４０内に濾過材７０と共に組み込まれる。その組み込みは、先ず、筒状体４３２の凹状窪み４３２１に逆止ボール４２が挿入される。逆止ボール４２が挿入された後に、凹状窪み４３２１に通水管５０の一端部５３が嵌入される。次いで、通水管５０の外周面とカートリッジ本体４１の内周壁面との間に、上面に不織布４８１、４８２を張った濾過材受け皿７１が挿入され、内周壁面の段部４１３に固定される。
その後、通水管５０の外周面とカートリッジ本体４１の内周壁面との間に、濾過材７０をカートリッジ本体４１の開口部付近まで充填し、濾過材７０の上面を不織布４８３、４８４で覆って濾過材７０が飛散しないようにする。
次いで、カートリッジカバー４５の開口４７１１に通水管５０の他端部５７が挿入され、カートリッジカバー４５の雄ネジ４５１を本体の開口部４１１の雌ネジ４１２と螺合させて、通水管５０の組み込みを終了する。
【手続補正１４】
【補正対象書類名】明細書
【補正対象項目名】００５７
【補正方法】変更
【補正の内容】
【００５７】
継手６３は、継手本体６２と、この継手本体の一端開口に結合された筒状体４６１と、継手本体の外周壁面に装着されたリリース環６９と、このリリース環６９によって移動が規制され、筒状体４６１との結合・解除を司る係止ボール６４とからなり、筒状体４６１との結合・取外し自在で、且つ回動可能な継手である。なお、この継手は、既に公知であるので、詳細な説明は省略する。
【手続補正１５】
【補正対象書類名】明細書
【補正対象項目名】００６０
【補正方法】変更
【補正の内容】
【００６０】
このようにして組み立てられた浄水器のカートリッジの取り替えは、取り付け時においては先ず、浄水器本体２０の本体カバー２８の開口部２８１にカートリッジを挿入し、カートリッジの一端部の筒状体４３１を凹状窪み２５１１内に嵌入したのち、本体カバー２８の開口部２８１に蓋体３２を被せ、その上からキャップ６０の継手６３を結合する。
また、浄水器本体へのカートリッジの取外しは、キャップ６０のリリース部材６５を上方に引上げることにより係止ボール６４の係止を解いて継手６３をカートリッジ４０の筒状体４６１から取外し、次いで、蓋体３２を本体カバー２８から外し、本体カバーからカートリッジを引上げる。
【手続補正１６】
【補正対象書類名】明細書
【補正対象項目名】００６２
【補正方法】変更
【補正の内容】
【００６２】
次に浄水器１０内の流路を図１を参照して説明する。浄水器１０は、浄水器本体２０の下方に設けられた管状体２７の先端開口２７１から原水が導入されると、原水は管状体２７を通り、凹状窪み５８内の逆止ボール４２を水圧で上方へ押上げることにより原水流入口５４に原水が導入され、原水流入口５４から通水路５４１を通り、原水吐出口５４２から湧出され、カートリッジカバー４５と濾過材７０との空隙４９に溜まり、この空隙内に溜まった原水は、ゆっくりと濾過材７０を通過し浄化される。
原水が濾過材７０を通過する際に、濾過材７０上部及び下部に設けられた不織布４８１〜４８４で、原水に含まれている細かなゴミ等が除去され、濾過材７０で遊離残留塩素やカビ臭、総トリハロメタンなどを分離除去される。
【手続補正１７】
【補正対象書類名】明細書
【補正対象項目名】００６７
【補正方法】変更
【補正の内容】
【００６７】
１０            浄水器
２０            浄水器本体
２１            カップ状容器
２４            原水導入部
２５１、２５２    筒状体
２７            管状体
２９１、２９２    凸状体
３０            底部
３１            筒状体
３２            蓋体
４０            カートリッジ
４１            カートリッジ本体
４１ａ、４５ａ  先端部
４２            逆止ボール
４３１、４３２    筒状体
４４            貫通孔
４５            カートリッジカバー
４６１、４６２    筒状体
４７            貫通孔
４７１１          開口
４８１〜４８４    不織布
４９、４９１      空隙
５０            通水管
５１            第１通水管
５２            第２通水管
５３            一端部
５７            他端部
５４、５５      原水・浄水流入口
５４１、５５１    通水路
５４２、５５２    原水・浄水吐出口
５８            凹状窪み
６０            キャップ
６１            キャップ本体
６２            継手本体
６３            継手
６４            係止ボール
６５            リリース部材
７０            濾過材
【手続補正１８】
【補正対象書類名】図面
【補正対象項目名】図３
【補正方法】変更
【補正の内容】
【図３】
2005193162.tif 000001